(57)【要約】【課題】  ＩＣカードのＰＩＮ変更やＰＩＮの閉塞の解除を行う者が、そのＩＣカードの正当な所有者であるか否かの認証処理を速やかに行えるようにしたＩＣカードのＰＩＮ変更及び閉塞解除方法を提供する。【解決手段】  バイオメトリクス読取装置でＩＣカード所持者の第１のバイオメトリクスデータを読み取り、通信端末に送信するステップと、ＩＣカードリーダライタでＩＣカードに記憶されている第２のバイオメトリクスデータを読み取り、前記通信端末に送信するステップと、前記通信端末で第１のバイオメトリクスデータと第２のバイオメトリクスデータを照合するステップと、前記照合の結果が一致した場合に、前記通信端末から前記ＩＣカードリーダライタを介してＩＣカードに対して、ＩＣカードに記憶されているＰＩＮの変更を可能な状態に制御すると共に、ＩＣカード内におけるＰＩＮに基く閉塞状態の解除処理を行うステップと、からなる。【選択図】        図１
2005148883.tif 000002
【特許請求の範囲】
【請求項１】
ＩＣカードと、ＩＣカードリーダライタ及びバイオメトリクス読取装置を備えた通信端末とからなるＩＣカードシステムにおけるＩＣカードのＰＩＮ変更及び閉塞解除方法であって、
前記バイオメトリクス読取装置でＩＣカード所持者の第１のバイオメトリクスデータを読み取り、前記通信端末に送信するステップと、
前記ＩＣカードリーダライタで前記ＩＣカードに記憶されている第２のバイオメトリクスデータを読み取り、前記通信端末に送信するステップと、
前記通信端末で第１のバイオメトリクスデータと第２のバイオメトリクスデータを照合するステップと、
前記照合の結果が一致した場合に、前記通信端末から前記ＩＣカードリーダライタを介してＩＣカードに対して、ＩＣカードに記憶されているＰＩＮの変更を可能な状態に制御すると共に、ＩＣカード内におけるＰＩＮに基く閉塞状態の解除処理を行うステップと、
からなることを特徴とするＩＣカードのＰＩＮ変更及び閉塞解除方法。
【請求項２】
ＩＣカードと、ＩＣカードリーダライタ及びバイオメトリクス読取装置を備えた通信端末とからなるＩＣカードシステムにおけるＩＣカードのＰＩＮ変更及び閉塞解除方法であって、
前記バイオメトリクス読取装置でＩＣカード所持者の第１のバイオメトリクスデータを読み取るステップと、
前記第１のバイオメトリクスデータを、前記バイオメトリクス読取装置から通信端末を介して、前記ＩＣカードリーダライタで前記ＩＣカードに書き込むステップと、
前記ＩＣカードに書き込まれた第１のバイオメトリクスデータを、予め前記ＩＣカードに登録されている第２のバイオメトリクスデータと照合するステップと、
前記照合の結果が一致した場合に、前記ＩＣカードに記憶されているＰＩＮの変更を可能な状態に制御すると共に、ＰＩＮに基く閉塞状態の解除処理を行うステップと、
からなることを特徴とするＩＣカードのＰＩＮ変更及び閉塞解除方法。
【発明の詳細な説明】
【技術分野】
【０００１】
本発明は、ＩＣカードと、ＩＣカードリーダライタ及びバイオメトリクス読取装置を備えた通信端末と、からなるＩＣカードシステムにおけるＩＣカードのＰＩＮ変更及び閉塞解除方法に関する。
【背景技術】
【０００２】
近年、ＩＣカードを用いたＩＣカードシステムが種々の用途に使用されている。
ＩＣカードは、磁気カードに比べ記憶されたデータのセキュリティ性に優れていると共に、記憶データ量も大きく種々の用途に適応可能であるという利点がある。
通常、ＩＣカード所有者がＩＣカードシステムによりＩＣカードを使用する場合には、最初の段階において本人認証のための処理が行われる。
この本人認証の処理では、予めＩＣカードの記憶手段の記憶させておいたＰＩＮ（Ｐｅｒｓｏｎａｌ  Ｉｄｅｎｔｉｆｉｃａｔｉｏｎ  Ｎｕｍｂｅｒ）と、ＩＣカード所有者が入力するＰＩＮとを照合して、照合一致した場合に、そのＩＣカード所有者を正当な所有者であると認めて、その後のアクセスが行える状態に制御される。
【０００３】
したがって、たとえ正当なＩＣカード所有者であっても、記憶しておいたＰＩＮをうっかり忘れてしまった場合には、ＩＣカードシステムを利用した取引き処理や情報収集などが行えないことになる。
更に、近年のＩＣカードシステムでは、ＰＩＮによる照合の回数に制限を設定して、その制限回数以内にＰＩＮ照合が一致すればその後のアクセスを可能とすることで、もしも、定められた照合回数を超えた場合には、その後においてＰＩＮ照合ができないＰＩＮ照合の閉塞処理が行なわれ、これにより第三者による不正なアクセスが防止されるようシステム化されていて、これらの技術も既に知られている。（例えば、特許文献１参照）
【０００４】
このように、ＰＩＮによる照合は、第三者による不正なアクセスを防止することができ、セキュリティ性を確保する上で重要であるが、反面、正当なＩＣカード所有者が、ＩＣカードシステムを利用する際に、記憶していたＰＩＮをうっかり忘れてしまった場合には、正当な本人であっても、その後のアクセスができないこととなる。
また、更にＰＩＮ照合の回数制限が設定されている場合に、定められた照合回数を超えた非照合の処理が行なわれた際に、ＰＩＮ照合の閉塞処理が行われてしまい、そのＩＣカード自体の使用ができなくなり、ＰＩＮを変更したり、ＰＩＮ照合の閉塞解除を行うには、あらためて本人であることを証明する書類等を持参して所定の手続きを行うなど、手間と時間がかかり不便であるという問題がある。
【特許文献１】特開２００１−１４３０４１号公報
【発明の開示】
【発明が解決しようとする課題】
【０００５】
本発明は、ＩＣカードのＰＩＮの変更が必要な場合や、ＰＩＮによる閉塞が行なわれた場合でも、ＩＣカードのＰＩＮ変更やＰＩＮの閉塞の解除を行う者が、そのＩＣカードの正当な所有者であるか否かの認証処理を速やかに行えるようにしたＩＣカードのＰＩＮ変更及び閉塞解除方法を提供する。
【課題を解決するための手段】
【０００６】
本発明のＩＣカードのＰＩＮ変更及び閉塞解除方法は、ＩＣカードと、ＩＣカードリーダライタ及びバイオメトリクス読取装置を備えた通信端末とからなるＩＣカードシステムにおけるＩＣカードのＰＩＮ変更及び閉塞解除方法であって、
前記バイオメトリクス読取装置でＩＣカード所持者の第１のバイオメトリクスデータを読み取り、前記通信端末に送信するステップと、前記ＩＣカードリーダライタで前記ＩＣカードに記憶されている第２のバイオメトリクスデータを読み取り、前記通信端末に送信するステップと、前記通信端末で第１のバイオメトリクスデータと第２のバイオメトリクスデータを照合するステップと、前記照合の結果が一致した場合に、前記通信端末から前記ＩＣカードリーダライタを介してＩＣカードに対して、ＩＣカードに記憶されているＰＩＮの変更を可能な状態に制御すると共に、ＩＣカード内におけるＰＩＮに基く閉塞状態の解除処理を行うステップと、からなることを特徴とする。
【０００７】
また、本発明のＩＣカードのＰＩＮ変更及び閉塞解除方法は、ＩＣカードと、ＩＣカードリーダライタ及びバイオメトリクス読取装置を備えた通信端末とからなるＩＣカードシステムにおけるＩＣカードのＰＩＮ変更及び閉塞解除方法であって、前記バイオメトリクス読取装置でＩＣカード所持者の第１のバイオメトリクスデータを読み取るステップと、前記第１のバイオメトリクスデータを、前記バイオメトリクス読取装置から通信端末を介して、前記ＩＣカードリーダライタで前記ＩＣカードに書き込むステップと、前記ＩＣカードに書き込まれた第１のバイオメトリクスデータを、予め前記ＩＣカードに登録されている第２のバイオメトリクスデータと照合するステップと、前記照合の結果が一致した場合に、前記ＩＣカードに記憶されているＰＩＮの変更を可能な状態に制御すると共に、ＰＩＮに基く閉塞状態の解除処理を行うステップと、からなることを特徴とする。
【発明の効果】
【０００８】
本発明は、ＩＣカードのＰＩＮ変更や閉塞解除を直ぐに行ないたい場合でも、ＩＣカード所有者のバイオメトリクスデータをその場で読み取り、読み取ったバイオメトリクスデータに基いて、照合処理を行ない、本人であるか否かの認証を行い、その本人認証処理の一致の結果に基いて、ＩＣカードのＰＩＮ変更及び閉塞解除を行うので、たとえＰＩＮをうっかり忘れたりしても、またＰＩＮ照合の回数制限を超えてＰＩＮ閉塞した場合でも、短時間で復旧してＩＣカードシステムの処理を続ける事が出来るという効果がある。
【発明を実施するための最良の形態】
【０００９】
以下、図面を参照しながら本発明について、実施の形態を詳述する。
図１は、本発明の実施形態に係るＩＣカードのＰＩＮ変更及び閉塞解除方法に用いるシステムの概要を説明する外観図、第２図は、本発明の第１実施形態に係るＩＣカードのＰＩＮ変更及び閉塞解除方法に用いるシステムのブロック図、第３図は、本発明の第１実施形態に係るＩＣカードのＰＩＮ変更及び閉塞解除方法の処理手順を説明するフローチャート、第４図は、本発明の第２実施形態に係るＩＣカードのＰＩＮ変更及び閉塞解除方法に用いるシステムのブロック図、第５図は、本発明の第２実施形態に係るＩＣカードのＰＩＮ変更及び閉塞解除方法の処理手順を説明するフローチャートである。
【００１０】
本発明の実施形態に係るＩＣカードのＰＩＮ変更及び閉塞解除方法に用いるシステムは、図１に示すように、ＩＣカード１と、ＩＣカードリーダライタ２及びバイオメトリクス読取装置３を備えた通信端末４と、から構成されている。
通信端末４は、インターネットなどの通信回線５を介して通信可能に接続されている。
バイオメトリクス読取装置３とは、各個人毎に異なる身体的特徴のデータであるバイオメトリクスデータを読み取る機能を有する装置である。
バイオメトリクスデータとは、例えば、顔、声紋、指紋、虹彩、などがあり、バイオメトリクス読取装置３で、各個人毎に特徴の異なる身体の一部からバイオメトリクスデータとして読み取ることで、本人であるか否かを識別するためのデータとして用いるものである。
【００１１】
バイオメトリクス読取装置３は、ＩＣカード１のＰＩＮの変更が必要な場合や、ＩＣカード１がＰＩＮによる閉塞状態になった場合において、第三者による不正行為を防止するために、そのＩＣカード所有者自身が、そのＩＣカード１の正当な所有者であると証明する際に、各個人毎に異なる身体的特徴のデータであるバイオメトリクスデータに基き本人認証を行う時に用いる装置である。
したがって、ＩＣカード１からのＩＣカードリーダライタ２で読み取ったＰＩＮに基く認証処理が、通常通りに問題なく行われている場合には、バイオメトリクス読取装置３を用いる必要はない。
【００１２】
次に、図２及び図３に基いて、本発明の第１実施形態に係るＩＣカードのＰＩＮ変更及び閉塞解除方法について説明する。
本発明の第１実施形態に係るＩＣカードのＰＩＮ変更及び閉塞解除方法は、図２に示すシステムにより実行される。
【００１３】
まず、図２のシステム構成について説明する。
ＩＣカード１ａには、送受信手段６、照合手段７、ＰＩＮ変更制御手段８、ＰＩＮ閉塞制御手段９、制御手段１０、記憶手段１１、などが備えられている。
記憶手段１１には、予めＰＩＮ１２と照合用のバイオメトリクスデータ１３とが登録されていて、このＰＩＮ１２と照合用のバイオメトリクスデータ１３とは、通常の状態では変更できない状態で制御されている。
また、照合手段７により、記憶手段１１に記憶されているバイオメトリクスデータ１３と、ＩＣカードリーダライタ２からＩＣカード１ａに書き込まれるバイオメトリクスデータとの間で照合が行なわれる。
【００１４】
また、ＰＩＮ変更制御手段８は、照合手段７によるＰＩＮの照合処理の結果が一致した場合に、記憶手段１１に記憶されているＰＩＮのロックを解除して、書き換え可能な状態に変更して制御する機能を有し、更に、ＰＩＮ閉塞制御手段９は、ＩＣカード１ａがＰＩＮ照合の所定回数を超えた場合に、その後におけるＰＩＮ照合が出来ない状態にロックされたとしても、このロック状態を解除する制御を行う機能を有する。
【００１５】
また、ＩＣカードリーダライタ２には、ＩＣカード１ａへのデータの書込手段１４と、ＩＣカード１ａからのデータの読取手段１５とが備えられている。
バイオメトリクス読取装置３には、ＩＣカード所有者の身体的特徴のデータであるバイオメトリクスデータを読み取るバイオメトリクスデータ読取手段１６と、制御手段１７と、送受信手段１８とが備えられ、バイオメトリクスデータ読取手段１６で読み取ったバイオメトリクスデータを送受信手段１８から通信端末４ａに送れるように構成されている。
【００１６】
また、通信端末４ａには、ＩＣカードリーダライタ２との間でデータの入出力を行う第１送受信手段１９と、バイオメトリクス読取装置３との間でデータの入出力を行う第２送受信手段２０と、表示手段２１と、記憶手段２２と、通信手段２３と、入力手段２４と、制御手段２５、などが備えられている。
記憶手段２２には、予めＩＣカードのＰＩＮ変更及び閉塞解除を行う際に用いる処理プログラムが格納されていて、入力手段２４から入力される指示信号に基いて一連の処理が実行されるようにシステム化されている。
【００１７】
次に、本発明の第１実施形態に係るＩＣカードのＰＩＮ変更及び閉塞解除方法を、図２に示すシステムを用いて処理する場合について、図３のフローチャートに基いて説明する。
ＩＣカード１ａのＰＩＮ変更及び閉塞解除が必要となった場合には、まず、ＩＣカード所有者は、ＩＣカードリーダライタ２のカード挿入部２９にＩＣカード１ａを挿入してセットする。（ステップＳ１）
次に、通信端末４ａの入力手段２４から、予め定められているＰＩＮ変更及び閉塞解除を行うための指示コマンドを入力する。（ステップＳ２）
この入力された指示コマンドにより、処理プログラムの実行が開始される。
【００１８】
バイオメトリクス読取装置３の指載置部３０にＩＣカード所有者の指を置くことで、指紋データからなるバイオメトリクスデータを読み取る。（ステップＳ３）
このバイオメトリクスデータは、通信端末４ａに送られた後、更にＩＣカードリーダライタ２を介して、ＩＣカード１ａの記憶手段１１に一旦書き込まれる。（ステップＳ４）
次に、ＩＣカード１ａ内で、予め記憶手段１１に記憶されているバイオメトリクスデータと、ＩＣカードリーダライタ２からＩＣカード１ａに書き込まれたバイオメトリクスデータとを、照合手段７により照合する。（ステップＳ５）
【００１９】
そして、照合手段７による照合結果が一致した場合には、ＰＩＮ変更制御手段８に対して、ＰＩＮの変更を可能とする信号を送ると共に、ＰＩＮ閉塞制御手段９に対してＰＩＮの閉塞を解除する信号を送ることで、記憶手段１１に記憶されているＰＩＮを、通信端末４ａからＩＣカードリーダライタ２を介してＩＣカード１ａに書き込まれる新たなＰＩＮでの書き換えを可能とし、更に、ＩＣカード１ａがＰＩＮ閉塞の状態にある場合には、この閉塞状態を解除する。（ステップＳ６）
また、照合手段７による照合結果が不一致の場合には、その後の処理を中断して終了する。
【００２０】
以上の第１実施形態では、ＩＣカード１ａ内でバイオメトリクスデータに基く照合処理が行なわれるので、ＩＣカード１ａの記憶手段に予め登録されているＰＩＮのデータが、ＩＣカード１ａの外部に出ることがないので、ＰＩＮのセキュリティが確保されるという利点がある。
しかしながら、ＩＣカード１ａの内部に照合手段を有することで、ＩＣカード１ａを製造する際のコストが高くなるという欠点もある。
【００２１】
次に、図４及び図５に基いて、本発明の第２実施形態に係るＩＣカードのＰＩＮ変更及び閉塞解除方法について説明する。
尚、図４において、図２と同一構成の部分については、同一の符号を用いている。
本発明の第２実施形態に使用するシステムでは、ＩＣカード１ｂと通信端末４ｂの構成の一部だけが若干異なるので、本発明の第１実施形態で説明した構成については重複するので説明を省略する。
【００２２】
本発明の第２実施形態に係るＩＣカードのＰＩＮ変更及び閉塞解除方法は、図４に示すシステムにより処理される。
まず、図４のシステム構成について説明する。
ＩＣカード１ｂには、送受信手段６、ＰＩＮ変更制御手段８、ＰＩＮ閉塞制御手段９、制御手段１０、記憶手段１１、などが備えられている。
このＩＣカード１ｂには、照合手段を備えていないが、その代わりに、照合手段は、通信端末４ｂに設けられている。
【００２３】
また、通信端末４ｂには、ＩＣカードリーダライタ２との間でデータの入出力を行う第１送受信手段１９と、バイオメトリクス読取装置３との間でデータの入出力を行う第２送受信手段２０と、表示手段２１と、記憶手段２２と、通信手段２３と、入力手段２４と、制御手段２５、ＰＩＮ変更許可信号送信手段２６、ＰＩＮ閉塞解除信号送信手段２７、照合手段２８、などが備えられている。
【００２４】
照合手段２８は、ＩＣカードリーダライタ２を介してＩＣカード１ｂから読み取ったバイオメトリクスデータ１３と、バイオメトリクス読取装置３によりＩＣカード所有者から読み取ったバイオメトリクスデータとの間で照合処理を行う機能を有している。
また、ＰＩＮ変更許可信号送信手段２６及びＰＩＮ閉塞解除信号送信手段２７は、照合手段２８による照合結果が一致した場合に、通信端末４ｂがＩＣカードリーダライタ２を介してＩＣカード１ｂに対して、ＩＣカード１ｂの記憶手段１１に記憶されたＰＩＮの変更を許可する信号と、ＰＩＮが閉塞状態にある場合にこの閉塞を解除する信号を送信することで、通信端末４ｂの入力手段２４からの入力処理により、新たなＰＩＮをＩＣカード１ｂの記憶手段１１に登録することが可能にしてある。
【００２５】
次に、本発明の第２実施形態に係るＩＣカードのＰＩＮ変更及び閉塞解除方法を、図４に示すシステムを用いて処理する場合について、図５のフローチャートに基いて説明する。
ＩＣカード１ｂのＰＩＮ変更及び閉塞解除が必要となった場合には、まず、ＩＣカード所有者は、ＩＣカードリーダライタ２のカード挿入部２６にＩＣカード１ｂを挿入してセットする。（ステップＳ７）
次に、通信端末４ｂの入力手段２４から、予め定められているＰＩＮ変更及び閉塞解除を行うための指示コマンドを入力する。（ステップＳ８）
この入力された指示コマンドにより、処理プログラムの実行が開始される。
【００２６】
バイオメトリクス読取装置３の指載置部２７にＩＣカード所有者の指を置くことで、指紋データからなるバイオメトリクスデータを読み取る。（ステップＳ９）
このバイオメトリクスデータは、通信端末４ｂに送られ、記憶手段２２に一旦書き込まれる。（ステップＳ１０）
次に、ＩＣカード１ｂの記憶手段１１に予め記憶されているバイオメトリクスデータを、ＩＣカードリーダライタ２により読み取り、通信端末４ｂに送り、通信端末４ｂの記憶手段２２に一旦記憶される。（ステップＳ１１）
【００２７】
次に、通信端末４ｂの照合手段２８により、ＩＣカード１ｂから読み取ったバイオメトリクスデータと、バイオメトリクス読取装置３から受信したバイオメトリクスデータとの照合が行なわれる。（ステップＳ１２）
そして、通信端末４ｂの照合手段２８による照合結果が一致した場合には、通信端末４ｂのＰＩＮ変更許可信号送信手段２６及びＰＩＮ閉塞解除信号送信手段２７により、ＩＣカードリーダライタ２を介してＩＣカード１ｂにＰＩＮ変更許可信号及びＰＩＮ閉塞解除信号が送られる。（ステップＳ１３）
【００２８】
次に、ＩＣカード１ｂは、ＰＩＮ変更許可信号及びＰＩＮ閉塞解除信号を受信したことで、ＰＩＮ変更制御手段８及びＰＩＮ閉塞制御手段９により、記憶手段１１に記憶されているＰＩＮを、通信端末４ｂからＩＣカードリーダライタ２を介してＩＣカード１ｂに書き込まれる新たなＰＩＮでの書き換えを可能とし、更に、ＩＣカード１ｂがＰＩＮ閉塞の状態にある場合には、この閉塞状態を解除する。（ステップＳ１４）
また、通信端末４ｂの照合手段２８による照合結果が不一致の場合には、その後の処理を中断して終了する。
【００２９】
以上の第２実施形態では、通信端末４ｂの照合手段２８により、バイオメトリクスデータに基く照合処理が行なわれるので、ＩＣカード１ｂを第１実施形態に用いるＩＣカード１ａよりも安いコストで製造することができるという利点がある。
【図面の簡単な説明】
【００３０】
【図１】本発明の実施形態に係るＩＣカードのＰＩＮ変更及び閉塞解除方法に用いるシステムの概要を説明する外観図である。
【図２】本発明の第１実施形態に係るＩＣカードのＰＩＮ変更及び閉塞解除方法に用いるシステムのブロック図である。
【図３】本発明の第１実施形態に係るＩＣカードのＰＩＮ変更及び閉塞解除方法の処理手順を説明するフローチャートである。
【図４】本発明の第２実施形態に係るＩＣカードのＰＩＮ変更及び閉塞解除方法に用いるシステムのブロック図である。
【図５】本発明の第２実施形態に係るＩＣカードのＰＩＮ変更及び閉塞解除方法の処理手順を説明するフローチャートである。
【符号の説明】
【００３１】
１，１ａ，１ｂ  ＩＣカード
２  ＩＣカードリーダライタ
３  バイオメトリクス読取装置
４，４ａ，４ｂ  通信端末
５  通信回線
６，１８  送受信手段
７，２８  照合手段
８  ＰＩＮ変更制御手段
９  ＰＩＮ閉塞制御手段
１０，２５  制御手段
１１，２２  記憶手段
１２  ＰＩＮ
１３  バイオメトリクスデータ
１４  書込手段
１５  読取手段
１６  バイオメトリクスデータ読取手段
１９  第１送受信手段
２０  第２送受信手段
２１  表示手段
２３  通信手段
２４  入力手段
２６  ＰＩＮ変更許可信号送信手段
２７  ＰＩＮ閉塞解除信号送信手段
２９  カード挿入部
３０  指載置部
【図１】
2005148883.tif 000003
【図２】
2005148883.tif 000004
【図３】
2005148883.tif 000005
【図４】
2005148883.tif 000006
【図５】
2005148883.tif 000007